(57)【要約】【課題】組立性を向上できて所望の光学特性を容易に得ることができ、全体の小型化が図れるレンズ組立体を提供する。【解決手段】第１レンズ５の外周面には、第２レンズ４側の端部に第１同径外周面５ａを形成するとともに、第１同径外周面５ａから第２レンズ４とは反対側の端面に向けて外径が連続的に小さくなる第１傾斜外周面５ｂを形成し、第２レンズ４の外周面には、第１レンズ５側の端部に第２同径外周面４ａを形成するとともに、第２同径外周面４ａから第１レンズ５とは反対側の端面に向けて外径が連続的に大きくなる第２傾斜外周面４ｂを形成し、鏡枠１には、第１レンズ５の第１傾斜外周面５ｂが嵌まり込む傾斜内周面Ｌ６、第１レンズ５の第１同径外周面５ａが嵌まり込む第１同径内周面Ｌ５、および、第２レンズ４の第２同径外周面４ａが嵌まり込む第２同径内周面Ｌ３を形成する。【選択図】図１
2010197909.tif 000002
【特許請求の範囲】
【請求項１】
第１レンズと、該第１レンズよりも外径の大きい第２レンズとの少なくとも２枚のレンズを、鏡枠に積み重ねるように保持してなるレンズ組立体において、
前記第１レンズの外周面には、前記第２レンズ側の端部に第１同径外周面を形成するとともに、該第１同径外周面から前記第２レンズとは反対側の端面に向けて外径が連続的に小さくなる第１傾斜外周面を形成し、
前記第２レンズの外周面には、前記第１レンズ側の端部に第２同径外周面を形成するとともに、該第２同径外周面から前記第１レンズとは反対側の端面に向けて外径が連続的に大きくなる第２傾斜外周面を形成し、
前記鏡枠には、前記第１レンズの前記第１傾斜外周面が嵌まり込む傾斜内周面、前記第１レンズの前記第１同径外周面が嵌まり込む第１同径内周面、および、前記第２レンズの前記第２同径外周面が嵌まり込む第２同径内周面を形成した、
ことを特徴とするレンズ組立体。
【請求項２】
前記鏡枠は、前記第１レンズ側の端部に形成されたレンズ端面支持部と、前記第２レンズ側の端部に形成されたレンズ縁全周支持部とを有し、
前記第１レンズと前記レンズ端面支持部との間には、前記レンズ端面支持部側から前記第１レンズ側に向けて弾性部材と、前記第１レンズよりも外径の小さい第３レンズとが配置され、
前記第２レンズと前記レンズ縁全周支持部との間には、前記第２レンズよりも外径の大きい第４レンズが、該第４レンズの表面周縁部が全周に亘って前記レンズ縁全周支持部により支持されて配置されて、前記レンズ端面支持部と前記レンズ縁全周支持部との間で、前記第３レンズ、前記第１レンズ、前記第２レンズおよび前記第４レンズが、前記弾性部材により弾性的に押圧保持され、
前記第４レンズには、前記第２レンズ側の端面縁部に全周に亘って形成された凹部を有し、該凹部と前記鏡枠の内周壁面との間にシール部材が配置されている、
ことを特徴とする請求項１に記載のレンズ組立体。
【請求項３】
前記第１レンズと前記第２レンズとの間にフレア絞りが配置されている、
ことを特徴とする請求項１または２に記載のレンズ組立体。
【発明の詳細な説明】
【技術分野】
【０００１】
本発明は、複数枚のレンズとそれらを保持する鏡枠とを備えるレンズ組立体に関するものである。
【背景技術】
【０００２】
例えば、車両の後方、左右等を確認する車載カメラ、監視カメラ、デジタルカメラ、カメラ付き携帯電話等においては、カメラの部品として、撮像光学系を構成する複数枚のレンズを保持した小型なレンズ組立体が用いられている。
【０００３】
このようなレンズ組立体として、例えば、鏡枠の一端部に、レンズを光軸方向に位置決めする受け部を形成し、この受け部上に、複数枚のレンズを外径の小さいレンズから大きいレンズの順に積み重ねるように鏡枠内に挿入して、最上層のレンズの表面縁部を、鏡枠の他端部に形成された係止部により係止したものが知られている（例えば、特許文献１参照）。
【先行技術文献】
【特許文献】
【０００４】
【特許文献１】特開２００７−１２１６１２号公報
【発明の概要】
【発明が解決しようとする課題】
【０００５】
しかしながら、上記の特許文献１に開示のレンズ組立体にあっては、各レンズの周面が光軸方向（厚さ方向）に平行に形成されている。すなわち、各レンズの周面が、厚さ方向に亘って同径に形成されている。また、鏡枠の内周面も、各レンズの外径および周面形状に合わせて、光軸方向に階段状に形成されている。
【０００６】
このため、各レンズを鏡枠内に挿入するに際して、レンズ外周面が鏡枠の対応する内径の内周面に引っ掛かって、レンズが倒れたり、レンズ光軸が鏡枠に設定されている所定の光軸に対して傾斜して挿入されたりする等、各レンズを所定の姿勢で挿入するのが困難となる。特に、複数枚のレンズを積み重ねるように鏡枠に挿入する場合は、先に挿入したレンズの光軸が所定の光軸に対して傾いていると、その後に挿入するレンズも光軸が傾いて挿入されることになって、光学性能の低下を招くことが懸念される。
【０００７】
また、鏡枠は、その内周面を、各レンズの外径および周面形状に合わせて、光軸方向に階段状に形成することから、その内周面形状に合わせて所定の肉厚を確保すると、外径の大きい部分が多くなって、レンズ組立体全体の大型化を招くことが懸念される。
【０００８】
したがって、かかる点に鑑みてなされた本発明の目的は、組立性を向上できて所望の光学特性を容易に得ることができ、しかも、全体の小型化が図れるレンズ組立体を提供することにある。
【課題を解決するための手段】
【０００９】
上記目的を達成する請求項１に係るレンズ組立体の発明は、第１レンズと、該第１レンズよりも外径の大きい第２レンズとの少なくとも２枚のレンズを、鏡枠に積み重ねるように保持してなるレンズ組立体において、
前記第１レンズの外周面には、前記第２レンズ側の端部に第１同径外周面を形成するとともに、該第１同径外周面から前記第２レンズとは反対側の端面に向けて外径が連続的に小さくなる第１傾斜外周面を形成し、
前記第２レンズの外周面には、前記第１レンズ側の端部に第２同径外周面を形成するとともに、該第２同径外周面から前記第１レンズとは反対側の端面に向けて外径が連続的に大きくなる第２傾斜外周面を形成し、
前記鏡枠には、前記第１レンズの前記第１傾斜外周面が嵌まり込む傾斜内周面、前記第１レンズの前記第１同径外周面が嵌まり込む第１同径内周面、および、前記第２レンズの前記第２同径外周面が嵌まり込む第２同径内周面を形成した、
ことを特徴とするものである。
【００１０】
請求項２に係る発明は、請求項１に記載のレンズ組立体において、
前記鏡枠は、前記第１レンズ側の端部に形成されたレンズ端面支持部と、前記第２レンズ側の端部に形成されたレンズ縁全周支持部とを有し、
前記第１レンズと前記レンズ端面支持部との間には、前記レンズ端面支持部側から前記第１レンズ側に向けて弾性部材と、前記第１レンズよりも外径の小さい第３レンズとが配置され、
前記第２レンズと前記レンズ縁全周支持部との間には、前記第２レンズよりも外径の大きい第４レンズが、該第４レンズの表面周縁部が全周に亘って前記レンズ縁全周支持部により支持されて配置されて、前記レンズ端面支持部と前記レンズ縁全周支持部との間で、前記第３レンズ、前記第１レンズ、前記第２レンズおよび前記第４レンズが、前記弾性部材により弾性的に押圧保持され、
前記第４レンズには、前記第２レンズ側の端面縁部に全周に亘って形成された凹部を有し、該凹部と前記鏡枠の内周壁面との間にシール部材が配置されている、
ことを特徴とするものである。
【００１１】
請求項３に係る発明は、請求項１または２に記載のレンズ組立体において、
前記第１レンズと前記第２レンズとの間にフレア絞りが配置されている、
ことを特徴とするものである。
【発明の効果】
【００１２】
本発明によれば、第１レンズの第１傾斜外周面を鏡枠の第１傾斜内周面により案内して、第１レンズを鏡枠内にスムーズに挿入できるとともに、第１レンズの第１同径外周面が鏡枠の第１同径内周面に嵌まり込むことによって、第１レンズの光軸を位置決めすることができる。また、第２レンズは、その第２同径外周面が鏡枠の第２同径内周面に嵌まり込むことによって、第１レンズの姿勢に影響を与えることなく、光軸を位置決めして、鏡枠内にスムーズに挿入することができる。したがって、組立性を向上できて所望の光学特性を容易に得ることができる。しかも、第１レンズおよび第２レンズにそれぞれ傾斜外周面が形成されているので、鏡枠の肉厚を確保しながら、鏡枠の外径の大きい部分を少なくでき、レンズ組立体全体の小型化が図れる。
【図面の簡単な説明】
【００１３】
【図１】本発明の一実施の形態に係るレンズ組立体の構成を模式的に示す断面図である。
【図２】図１に示したレンズ組立体の分解斜視図である。
【図３】図１に示した弾性部材を示す正面図および側面図である。
【発明を実施するための形態】
【００１４】
以下、本発明の実施の形態について、図を参照して説明する。
【００１５】
図１は、本発明の一実施の形態に係るレンズ組立体の構成を模式的に示す断面図であり、図２はその分解斜視図である。
【００１６】
図１および図２に示すように、本実施の形態に係るレンズ組立体は、鏡枠１に、光軸Ｏに沿って順に、第４レンズ３、第２レンズ４、第１レンズ５および第３レンズ６の４枚のレンズからなるレンズ群Ｍを保持する。各レンズの最大外径は、第４レンズ３、第２レンズ４、第１レンズ５および第３レンズ６の順に小さくなっている。本明細書では、便宜上、第４レンズ３側を物体側（紙面左側）、第３レンズ６側を像側（紙面右側）と呼ぶ。また、各レンズは、物体側の面を前面、像側の面を後面とも呼ぶ。
【００１７】
鏡枠１は、プラスチックあるいは金属材料からなる環状周壁にて構成されており、物体側および像側に向けてそれぞれ開放した物体側開口１ａおよび像側開口１ｂを有し、物体からの光は物体側開口１ａから鏡枠１内に入射して、レンズ群Ｍを経て像側開口１ｂから出射される。
【００１８】
鏡枠１の像側端部には、レンズ群Ｍのレンズ端面支持部を構成するとともに、像側開口１ｂを形成する絞り壁２ａが設けられている。像側開口１ｂは、像側に位置する第３レンズ６の光軸を含む中央部を露出させるように、絞り壁２ａに形成されている。
【００１９】
第４レンズ３は、ガラス製の凹メニスカスレンズからなり、物体側を凸面として、鏡枠１の物体側端部のカシメによって形成されるレンズ縁全周支持部２ｂにより鏡枠１に支持されている。この第４レンズ３は、同径外周面３ａが鏡枠１に形成された同径内周面Ｌ１に嵌まり込んでおり、凸面の周縁部には全周に亘って面取り部３ｂが形成されている。そして、この面取り部３ｂがカシメによるレンズ縁全周支持部２ｂによって全周に亘って支持されて、このレンズ縁全周支持部２ｂにより物体側開口１ａが形成されている。ここで、レンズ縁全周支持部２ｂは、図１に部分拡大図をも示すように、面取り部３ｂを凸面とほぼ等しい曲率で連続するように、面取り部３ｂを支持している。また、面取り部３ｂの外周面側隅部３ｄは、角丸め加工されている。
【００２０】
また、第４レンズ３には、後面縁部に全周に亘って凹部３ｃが形成されており、この凹部３ｃと鏡枠１に形成された同径内周面Ｌ２との間に、例えばＯリングからなるシール部材１０が挟持されている。なお、同径内周面Ｌ２の直径は、同径内周面Ｌ１の直径よりも小さくなっている。
【００２１】
第２レンズ４は、プラスチック製の凹メニスカスレンズからなり、その外周面には、凹面側の端部に同径外周面（第２同径外周面）４ａが形成されているとともに、この同径外周面４ａから凸面側に向けて外径が連続的に大きくなる傾斜外周面（第２傾斜外周面）４ｂが形成されている。そして、この第２レンズ４は、凸面を物体側として、同径外周部４ａが、鏡枠１に形成された同径内周面（第２同径内周面）Ｌ３に嵌まり込み、傾斜外周面４ｂが、鏡枠１に形成された同径内周面Ｌ４に位置して配置されている。なお、同径内周面Ｌ３の直径は、同径内周面Ｌ４の直径よりも小さくなっている。また、第２レンズ４の前面には、フレア絞り７を介して、第４レンズ３の後面に面接触する当接部４ｃが形成されている。
【００２２】
第１レンズ５は、プラスチック製の凸メニスカスレンズからなるもので、フランジ部を有しており、そのフランジ部の外周面には、曲率の小さい凸面側の端部に同径外周面５ａ（第１同径外周面）が形成されているとともに、この同径外周面５ａから曲率の大きい凸面側に向けて外径が連続的に小さくなる傾斜外周面（第１傾斜外周面）５ｂが形成されている。そして、この第１レンズ５は、曲率の小さい凸面を物体側として、同径外周面５ａが、鏡枠１に形成された同径内周面（第１同径内周面）Ｌ５に嵌まり込み、傾斜外周面５ｂが、鏡枠１に形成された傾斜内周面Ｌ６に嵌まり込んで配置されている。なお、傾斜内周面Ｌ６は、同径内周面Ｌ５から像側に向けて直径が小さくなるように形成されている。また、第１レンズ５のフランジ部の前面には、第２レンズ４と同様に、フレア絞り８を介して、第２レンズ４の後面に面接触する当接部５ｃが形成されている。
【００２３】
第３レンズ６は、プラスチック製の凸メニスカスレンズからなるもので、フランジ部を有しており、曲率の小さい凸面側を像側として、フランジ部の同径外周面６ａが、鏡枠１に形成された同径内周面Ｌ７に嵌まり込んで配置されている。この第３レンズ６のフランジ部の前面には、開口絞り９を介して、第１レンズ５と同様に、第１レンズ５の後面に面接触する当接部６ｂが形成されている。また、第３レンズ６は、像側の凸面中央部が、絞り壁２によって形成された像側開口１ｂから突出するように配置されている。なお、第２レンズ４、第１レンズ５および第３レンズ６のそれぞれの外周面エッジ部は、必要に応じて面取りする。
【００２４】
フレア絞り７は、第４レンズ３と第２レンズ４との間に配置されており、フレア絞り８は、第２レンズ４と第１レンズ５との間に配されており、開口絞り９は、第１レンズ５と第３レンズ６との間に配置されている。フレア絞り７および８は、撮影等に寄与しない有害光が透過するのを防止するもので、ポリエステルシート等のシート状部材から構成され、その表面は、反射を防止するために黒色塗料が塗布されるなどの艶消し処理が施されている。また、開口絞り９は、レンズ群Ｍを透過する軸上光線束の直径を制限して明るさを制御するもので、フレア絞り７，８と同様に、ポリエステルシート等のシート状部材から構成され、その表面は、反射を防止するために黒色塗料が塗布されるなどの艶消し処理が施されている。なお、フレア絞り７，８や開口絞り９は、レンズの端面に直接黒色塗料を塗布したり、艶消し処理を施したりして構成することもできる。
【００２５】
また、第３レンズ６と絞り壁２との間には、板ばねからなる弾性部材１１が配置されている。この弾性部材１１は、第４レンズ３を同径内周面Ｌ１に設置する際の押し込みによって生じる反発力により、各レンズ３、４、５、６の端面同士を絞り７、８、９を介して相互に弾性的に接触（弾性支持）させて、鏡枠１の内部で、各レンズ３、４、５、６を光軸方向に位置決めするものである。
【００２６】
図３（ａ）および（ｂ）は、弾性部材１１の正面図および側面図である。弾性部材１１は、絞り壁２に形成された像側開口１ｂよりも大きく、かつ、第３レンズ６の中央部を通過させ得る開口を備えた薄肉の環状ベース１１ａと、この環状ベース１１ａの外縁に片側支持状態にて一体連結する複数のアーム（板状のもの）１１ｂからなっている。アーム１１ｂには、付け根部に該アーム１１ｂを厚さ方向へ屈曲させて弾性片として作用させるとともに、該アーム１１ｂに反発力が生じた際に、先端が径方向外側へ向けて広がるのを抑制している。
【００２７】
また、絞り壁２の内側面には、像側開口１ｂの近傍にストッパー１２が設けられている。このストッパー１２は、レンズ組立体に衝撃等の外部応力が作用した際に、像側開口１ｂを画成する開口縁部１２ａよりも先に、当該ストッパー１２が、第３レンズ６の像側開口１ｂと対応する有効領域よりも径方向外側の領域に当接して、第３レンズ６の有効領域の損傷を防止するものである。なお、このストッパー１２は、環状の凸部あるいは間隔をあけて配置した複数の突起により構成することもできる。
【００２８】
次に、本実施の形態に係るレンズ組立体の組立手順の一例について説明する。
【００２９】
先ず、絞り壁２に像側開口１ｂおよびストッパー１２が形成された鏡枠１を、物体側の開口を上方に位置させた状態で、物体側の開口から、弾性部材１１、第３レンズ６、開口絞り９、第１レンズ５、フレア絞り８、第２レンズ４、およびフレア絞り７を、順次に積み重ねるように挿入する（落とし込む）。次に、第４レンズ３を、シール部材１０とともに、フレア絞り７上に積み重ねるように、弾性部材１１の弾性力に抗して鏡枠１内に押し込む。その状態で、鏡枠１の物体側端部をカシメ加工により熱的あるいは機械的に変形させて、第４レンズ３の前面に形成された面取り部３ｂを、全周に亘って、かつ、前面の凸面とほぼ等しい曲率で連続するようにレンズ縁全周支持部２ｂにより支持するとともに、レンズ縁全周支持部２ｂによって物体側開口１ａを形成する。
【００３０】
これにより、各レンズ３、４、５、６および各絞り７、８、９を、鏡枠１のレンズ縁全周支持部２ｂと絞り壁２との間、すなわち物体側開口１ａと像側開口１ｂとの間で、弾性部材１１の弾性力により、各レンズ３、４、５、６の端面同士を絞り７、８、９を介して相互に弾性的に押圧して、光軸方向に位置決めして保持することができる。
【００３１】
上述したように、本実施の形態に係るレンズ組立体は、第１レンズ５のフランジ部外周面を、第２レンズ４側は同径外周面５ａとし、第３レンズ６側は同径外周面５ａから外径が小さくなる傾斜外周面５ｂとしている。また、この第１レンズ５が保持される鏡枠１の部分には、第１レンズ５の周面形状に合わせて、傾斜外周面５ｂが嵌まり込む傾斜内周面Ｌ６を形成するとともに、同径外周面５ａが嵌まり込む同径内周面Ｌ５を形成している。したがって、レンズ組立体の組立にあたって、第１レンズ５を傾斜外周面５ｂ側から鏡枠１に挿入する際に、傾斜外周面５ｂを鏡枠１の傾斜内周面Ｌ６で案内してスムーズに挿入でき、さらに、第１レンズ５の同径外周面５ａが鏡枠１の同径内周面Ｌ５に嵌まり込むことによって、第１レンズ５の光軸を位置決めすることができる。
【００３２】
さらに、第１レンズ５に続いて挿入される外径の大きい第２レンズ４の外周面は、第１レンズ５側を同径外周面４ａとし、第４レンズ側を同径外周面４ａから外径が大きくなる傾斜外周面４ｂとしている。また、この第２レンズ４が保持される鏡枠１の部分には、同径外周面４ａが嵌まり込む同径内周面Ｌ３を形成している。したがって、第２レンズ４を同径外周面４ａ側から鏡枠１に挿入するに際して、同径外周面４ａが鏡枠１の同径内周面Ｌ３に嵌まり込むことによって、先に挿入されている第１レンズ５の姿勢に影響を与えることなく、第２レンズ４の光軸を位置決めして、スムーズに挿入することができる。
【００３３】
これにより、組立性を向上でき、所望の光学特性を容易に得ることができる。しかも、第１レンズ５に傾斜外周面５ｂを形成し、第２レンズ４に傾斜外周面４ｂを形成したので、これらの傾斜外周面を形成することなく、第１レンズ５の外周面の全体を、同径外周面５ａと同じ外径の同径外周面にするとともに、第２レンズ４の外周面の全体を、傾斜外周面４ｂの最大外径と同じ外径の同径外周面とする場合と比較して、鏡枠１の肉厚を確保しながら、鏡枠１の外径の大きい部分を少なくできるので、レンズ組立体全体の小型化が図れる。
【００３４】
また、第４レンズ３の凹部３ｃと鏡枠１の同径内周面Ｌ２との間には、シール部材１０を挟持したので、物体側から鏡枠１内への塵埃の侵入を有効に防止できるとともに、防水効果も得ることができる。したがって、例えば、監視カメラ等に撮影レンズ組立体として搭載した場合には、長期間に亘って安定して使用することができる。また、第３レンズ６とレンズ端面支持部を構成する絞り壁２との間には、第３レンズ６を第４レンズ３側に弾性的に押圧する弾性部材１１を配置したので、その弾性力により、各レンズ３、４、５、６の端面同士を絞り７、８、９を介して相互に弾性的に押圧して、光軸方向に位置決めして保持することができる。さらに、第４レンズ３と第２レンズ４との間および第２レンズ４と第１レンズ５との間には、それぞれフレア絞り７および８を配置したので、フレアの発生を確実に防止することができる。
【００３５】
また、本実施の形態に係るレンズ組立体によれば、物体側に面する第４レンズ３の前面のレンズ面縁部に面取り部３ｂを形成し、この面取り部３ｂを前面のレンズ面とほぼ等しい曲率で連続するように、鏡枠１のレンズ縁全周支持部２ｂにより支持するので、レンズにレンズ面以外のフランジ部を形成して支持する場合と比較して、第４レンズ３の径を小さくでき、それに伴って鏡枠１の外径も小さくできて、レンズ組立体全体の小型化が図れるとともに、第４レンズ３の加工も容易となり、コストダウンが図れる。しかも、第４レンズ３は、面取り部３ｂの全周が、レンズ縁全周支持部２ｂによって支持されるので、外部衝撃により光軸シフトを生じることなく、十分な保持強度で安定して保持することが可能となる。
【００３６】
また、面取り部３ｂは、外周面側隅部３ｄを角丸め加工するので、カシメによるレンズ縁全周支持部２ｂの形成時や、第４レンズ３の鏡枠１への保持状態下および外部応力作用時において、第４レンズ３へのストレスを分散でき、これにより歪みによる光学性能の低下を防止することができる。
【００３７】
また、物体側に面する第４レンズ３はガラスレンズとし、他のレンズ４，５，６はプラスチックレンズとして、像側に面する第３レンズ６を、レンズ端面支持部を構成する絞り壁２ａの内側面に支持するようにしたので、レンズ組立体に保持するレンズの損傷を有効に防止しながら、レンズ組立体の軽量化が図れるとともに、第４レンズ３の歪の発生をより低減できて、光学性能の低下をより確実に防止することができる。しかも、第１レンズ５と第３レンズ６との間に開口絞り９を配置したので、各レンズの径を小さく、かつ、第４レンズ３から第３レンズ６に向けて順次小さくできる。これにより、鏡枠１の内部形状を、第３レンズ６から第１レンズ５、第２レンズ４および第４レンズ３の順に落とし込めるように容易に形成でき、組立性を向上できるとともに、レンズ組立体の小型軽量化が図れる。
【００３８】
本発明は、上記実施の形態にのみ限定されるものではなく、幾多の変形または変更が可能である。例えば、レンズ組立体に保持するレンズ群Ｍは、４枚のレンズに限らず、少なくとも２枚以上の場合に、本発明を有効に適用することができる。また、弾性部材１１は、任意の形状とすることができるとともに、板状のばねに替えてゴム部材を用いてもよく、あるいは、省略することもできる。
【符号の説明】
【００３９】
１  鏡枠
１ａ  物体側開口
１ｂ  像側開口
２ａ  絞り壁
２ｂ  レンズ縁全周支持部
３  第４レンズ
３ａ  同径外周面
３ｂ  面取り部
３ｃ  凹部
３ｄ  外周面側隅部
４  第２レンズ
４ａ  同径外周面
４ｂ  傾斜外周面
４ｃ  当接部
５  第１レンズ
５ａ  同径外周面
５ｂ  傾斜外周面
５ｃ  当接部
６  第３レンズ
６ａ  同径外周面
６ｂ  当接部
７,８  フレア絞り
９  開口絞り
１０  シール部材
１１  弾性部材
１１ａ  環状ベース
１１ｂ  アーム
１２  ストッパー
１２ａ  開口縁部
Ｍ  レンズ群
Ｌ１〜Ｌ５,Ｌ７  同径内周面
Ｌ６  傾斜内周面
【図１】
2010197909.tif 000003
【図２】
2010197909.tif 000004
【図３】
2010197909.tif 000005